【事件の表示】
　平成　９年特許願第３２８９２７号「電気自動車用の電池管理装置」拒絶査定不服審判事件〔平成１１年　６月１８日出願公開、特開平１１−１６１４９２〕について、次のとおり審決する。
【結　論】
　本件審判の請求は、成り立たない。
【理　由】
Ｉ．手続の経緯・本願発明
  本願は、平成９年１１月２８日の出願であって、平成１５年６月１０日付で拒絶査定がなされ、これに対し、平成１５年７月１４日に拒絶査定に対する審判請求がなされるとともに、平成１５年８月６日付で手続補正がなされたものである。
　
ＩＩ．平成１５年８月６日付の手続補正についての補正却下の決定
　
［補正却下の決定の結論］
　平成１５年８月６日付の手続補正を却下する。
　
［理由］
１．補正後の本願発明
　本件補正により、特許請求の範囲の請求項１は、
「電気自動車の走行エネルギーを充放電する電池の通常走行時における充放電電流を制御する走行時電池充放電制御用プログラムと、前記電気自動車の停止時における前記電池の均等充電を制御する均等充電制御用プログラムと　を格納する複数のメモリバンクにより構成されるプログラムメモリと、前記両プログラムに従って演算を行って前記電池を制御する電池管理ＣＰＵとを備え、前記電池管理ＣＰＵは、前記メモリバンクを選択するメモリバンク選択アドレス信号と、前記各メモリバンク内の番地を選択するバンク内番地選択アドレス信号とにより構成されるアドレス信号を自己のアドレス信号出力ポートを通じて前記プログラムメモリへ出力して前記両プログラムの読み出しを行う電気自動車用の電池管理装置において、
　前記走行時電池充放電制御用プログラムおよび前記均等充電制御用プログラムは、互いに異なる前記メモリバンクに格納され、
　前記電池管理ＣＰＵは、車両走行時には、前記走行時電池充放電制御用プログラムを格納する前記メモリバンクを選択する前記メモリバンク選択アドレス信号を前記走行時電池充放電制御用プログラムの実行中に前記アドレス信号出力ポートに保持し、車両停止時には、前記均等充電制御用プログラムを格納する前記メモリバンクを選択する前記メモリバンク選択アドレス信号を前記均等充電制御用プログラムの実行中に前記アドレス信号出力ポートに保持するとともに前記走行時電池充放電制御用プログラムを格納する前記メモリバンクを選択する前記メモリバンク選択アドレス信号の前記アドレス信号出力ポートへの保持と前記均等充電制御用プログラムを格納する前記メモリバンクを選択する前記メモリバンク選択アドレス信号の前記アドレス信号出力ポートへの保持とは、同時に実行されることがないことを特徴とする電気自動車用の電池管理装置。」と補正された。
　
　上記補正は、請求項１に係る発明を特定するために必要な事項である「メモリバンク選択アドレス信号の保持」について「車両走行時には、…車両停止時には、…」との限定を付加し、同じく「メモリバンク選択アドレス信号の保持」について「前記走行時電池充放電制御用プログラムを格納する前記メモリバンクを選択する前記メモリバンク選択アドレス信号の前記アドレス信号出力ポートへの保持と前記均等充電制御用プログラムを格納する前記メモリバンクを選択する前記メモリバンク選択アドレス信号の前記アドレス信号出力ポートへの保持とは、同時に実行されることがない」との限定を付加するものであって、特許法第１７条の２第４項第２号の特許請求の範囲の減縮を目的とするものに該当する。
　
　そこで、本件補正後の請求項１に係る発明（以下、「本願補正発明」という。）が特許出願の際独立して特許を受けることができるものであるか（特許法第１７条の２第５項において準用する同法第１２６状第４項の規定に適合するか）について以下に検討する。
　
２．刊行物記載の発明
　原査定の拒絶の理由に引用された下記の刊行物１には、以下の事項が記載されている。
（１）刊行物１（特開昭５９−６０６６３号公報）
ア．「２．特許請求の範囲
　限られた固有の数のアドレスしか送出することのできないマイクロ・プロセツサと、該アドレスの一部を重複して付与した異なるメモリ装置と、上記メモリ装置の何れか１個のみを動作させるための指定情報を設定するレジスタとを具備し、上記レジスタに動作させるメモリ装置を指定する情報を予じめ設定し、上記重複したアドレスが上記マイクロ・プロセツサにより送出されたとき、上記レジスタに設定された指定情報によつて指定された１個のメモリ装置のみが動作することを特徴とするマイクロ・プロセツサのアドレスの拡張方式。」（第１頁左下欄第４行〜１６行）
　
イ．「発明の技術分野
　本発明はマイクロ・プロセツサのアドレスの拡張方式、さらに詳しく言えば、限られた固有の数のアドレスしか送出することのできないマイクロ・プロセツサのアドレスの拡張方式に関する。」（第１頁左下欄第１８行〜右下欄第２行）
　
ウ．「上記のように、従来の技術に従えば、マイクロ・プロセツサ・ユニツトを使用する上記のような制御装置においては、マイクロ・プロセツサ・ユニツトの送出するアドレスの数はマイクロ・プロセツサ・ユニツトに固有の数に限定されており、たとえ、アクセス頻度が著しく少なくても、必要なプログラムであれば該プログラムを収容するため、所要数のアドレスをさかなければならず、従つて他に有用なプログラムがあつても、該有用なプログラムに対するアドレスが不足し、収容できなくなるような場合があり、マイクロ・プロセツサを使用した制御装置の能力を向上できないような欠点があつた。」（第２頁左上欄第１６行〜右上欄第８行）
　
エ．「発明の目的
　本発明は、従来技術の上記の欠点を除き、限られた固有の数のアドレスを有するマイクロ・プロセツサの送出するアドレスを実質的に拡張し、これにより有用なプログラムを追加収容し、マイクロ・プロセツサを使用する制御装置の能力を向上することを目的とする。」（第２頁右上欄第９行〜第１５行）
　
オ．「発明の効果
　本発明は上記のように構成されているので、限られた固有の数のアドレスしか付与することのできない公知のマイクロ・プロセツサ・ユニツトを用いて構成した情報処理装置用の制御装置において、一部のアドレスを重複して使用することを可能としてマイクロ・プロセツサ・ユニツトのアドレスの拡張をなし得る効果がある。そして、拡張されたアドレスに対して有用なプログラム，データ等を追加収容することにより、上記の情報処理装置用の制御装置の能力を向上し得る効果がある。」（第４頁右上欄第１１行〜左下欄第１行）
　
カ．「発明の実施例
　以下、本発明の実施例を図面について説明する。第２図は、本発明によるプログラム収容方式を示すものであつて、Ｍ１，Ｍ２はメモリを示す。第１図領域Ａに対応する領域Ａ（０）＋Ａ（１）（アドレスａ〜ａ′ａ″〜ｂ）には、オペレ−シヨン・プログラムＯＰが収容される。なお、領域Ａ（０）に与えられたアドレスａ〜ａ′と同じアドレスが他のメモリＭ２の領域Ｂに重複して割当てられ、このメモリＭ２の領域Ｂに診断プログラムＯＰが収容される。領域Ｃ（アドレスｃ〜ｃ’）には診断プログラム受付用のプログラム（ＤＰＲＰ）が収容される。この診断プログラム受付け用のプログラム（ＤＰＲＰ）は、受付けと結果の通知を行なうだめのプログラムで、果たすべき機能は簡単であるので、容量は非常に小さく、領域Ｃは小さくてよい。このようにアドレスを割付けると、アドレスｃ″〜ｄによりアクセスされる空いた領域Ｄが生じ、ここに有用な他のプログラム等を追加収容することができる。
　上記メモリＭ１，Ｍ２の外に設けたレジスタＲに対しては、第１図と同様に１つのアドレスｅを付与しておく。プログラムを上記のようにマイクロ・プロセツサ・ユニツトＭＰＵに収容したので、アドレスａ〜ａ′を選択すれば、領域Ａ（０）とＢとの両方が同時にアクセスされることとなり不都合である。この不都合を避けるため、このマイクロ・プロセツサ・ユニットＭＰＵを使用した制御装置は第３図に示す接続構成を有する。」（第２頁右上欄第１６行〜右下欄第４行）
　
キ．「第３図において、ＭＰＵはマイクロ・プロセツサ・ユニット、Ｒはレジスタ、ＲＯＭ０，ＲＯＭ１，ＲＯＭ２はリ−ド・オンリ・メモリ、ＡＢはアドレス・バス、ＤＢはデ−タ・バスである。第２図の領域Ａ（０）はリ−ド・オンリ・メモリＲＯＭ１に、同じく領域Ａ（１），ＣおよびＤはリ−ド・オンリ・メモリＲＯＭ０に、同じく領域Ｂはリ−ド・オンリ・メモリＲＯＭ１とは異なるメモリ装置であるリ−ド・オンリ・メモリＲＯＭ２にそれぞれ収容されている。マイクロ・プロセツサ・ユニツトＭＰＵがアドレスａ″〜ｂ，ｃ〜ｃ’，ｃ″〜ｄをアドレス・バスＡＢに送出すると、送出されたアドレスに対応する領域Ａ（１），ＣおよびＤを収容しているリ−ド・オンリ・メモリＲＯＭ０の該当アドレスからデ−タがデ−タ・バスＤＢに読出される。」（第２頁右下欄第５行〜１９行）
　
ク．「マイクロ・プロセツサ・ユニツトＭＰＵが領域Ａ（０）対応のリ−ド・オンリ・メモリＲＯＭ１あるいは領域Ｂ対応の異なるリ−ド・オンリ・メモリＲＯＭ２の伺れか一方を指定し、指定されたメモリ装置（ＲＯＭ１あるいはＲＯＭ２）から重複したアドレスａ〜ａ′の内容を読み取る場合はマイクロ・プロセツサＭＰＵは、まず、アドレス・バスＡＢにレジスタＲを選択するアドレスｅを送出し、またデ−タ・バスＤＢにリ−ド・オンリ・メモリＲＯＭ１あるいはＲＯＭ２を指定する情報を送出し、この情報をレジスタＲに格納する。レジスタＲは各セルがフリップフロップで構成され、アドレス・バスＡＢ上のレジスタＲを指定するアドレス情報が存在するとき、デ−タ・バスＤＢ上のデ−タに従って各セルがセットされるものとする。例えばリ−ド・オンリ・メモリＲＯＭ１を動作するように指定するときは、レジスタＲの特定の位置のビツト（制御ビツトＣＢ）が“０”となるように、またリ−ド・オンリ・メモリＲＯＭ２を動作するように指定するときは同じく“１”となるように、上記のデ−タを選定する。この場合、制御ピツトＣＢは、メモリ装置ＲＯＭ１、ＲＯＭ２の何れか１個のみを動作させるための指定情報である。
　レジスタＲの上記の特定の位置の制御ビツトＣＢの情報は、レジスタＲの該位置からリ−ド・オンリ・メモリＲＯＭ１とＲ０Ｍ２との両方に伝達され、該制御ビツトＣＢが“０”の場合はリ−ド・オンリ・メモリＲＯＭ１を動作可能、リ−ド・オンリ・メモリＲＯＭ２を動作不能とし、また、該制御ビツトＣＢが１″の場合は、上記とは逆に、リ−ド・オンリ・メモリＲＯＭ１を動作不能、リ−ド・オンリ・メモリＲ０Ｍ２を動作可能とする。」（第２頁右下欄第２０行〜第３頁右上欄第１１行）
　
ケ．「いま、例えば、上記制御ピツトＣＢとして“０”を設定し、リ−ド・オンリ・メモリＲＯＭ１を動作可能、リ−ド・オンリ・メモリＲＯＭ２を動作不能の状態に指定しておいて、マイクロ・プロセツサ・ユニツトＭＰＵが重複したアドレスａ〜ａ′を選択してこれをアドレス・バスＡＢに送出すると、リ−ド・オンリ・メモリＲＯＭ２は動作不能であるから動作可能のリ−ド・オンリ・メモリＲＯＭ１のみ動作し、上記アドレスを受けてこのアドレスからその内容をデ−タ・バスＤＢに読み出す。上記において、制御ピツトＣＢを“０”の代りに設定すれば、上記と逆にリ−ド・オンリ・メモリＲＯＭ１が動作不能、リ−ド・オンリ・メモリＲＯＭ２が動作可能と指定されるので、上記重複したアドレスａ〜a′に基いてリ−ド・オンリ・メモリＲＯＭ２からデ−タが絖み出される。」（第３頁右上欄第１２行〜左下欄第７行）
　
コ．「診断プログラムは、実際の制御動作を行なうオペレーション・プログラムと比較してアクセス頻度が著しく少ないのが普通である。」（第１頁右下欄第１６行〜１８行）
　
　上記ア．〜オ．の事項を参照すると、刊行物１には、
　限られた固有の数のアドレスしか送出することのできないマイクロ・プロセツサと、該アドレスの一部を重複して付与した異なるメモリ装置と、上記メモリ装置の何れか１個のみを動作させるための指定情報を設定するレジスタとを具備し、上記レジスタに動作させるメモリ装置を指定する情報を予じめ設定し、上記重複したアドレスが上記マイクロ・プロセツサにより送出されたとき、上記レジスタに設定された指定情報によつて指定された１個のメモリ装置のみが動作するマイクロ・プロセツサのアドレスの拡張方式が記載されている。
　
　また、上記カ．〜ケ．の事項を参照すると、刊行物１には、
　本発明によるプログラム収容方式では、
　メモリＭ１の領域Ａ（０）には、オペレ−シヨン・プログラムＯＰが収容され、メモリＭ２の領域Ｂには、診断プログラムＯＰが収容され、
　領域Ａ（０）に与えられたアドレスａ〜ａ′と同じアドレスが他のメモリＭ２の領域Ｂに重複して割当てられ、アドレスａ〜ａ′を選択すれば、領域Ａ（０）とＢとの両方が同時にアクセスされることとなり不都合を避けるため、マイクロ・プロセツサ・ユニツトＭＰＵは、ＲＯＭ１あるいはＲＯＭ２を指定する情報を送出して、この情報をレジスタＲに格納し、
　ＲＯＭ１を動作するように指定するときは、レジスタＲの特定の位置のビツト（制御ビツトＣＢ）が“０”となるように、ＲＯＭ２を動作するように指定するときは同じく“１”となるように、上記のデ−タを選定し、
　制御ピツトＣＢは、メモリ装置ＲＯＭ１、ＲＯＭ２の何れか１個のみを動作させるための指定情報であり、
　該制御ビツトＣＢが“０”の場合はリ−ド・オンリ・メモリＲＯＭ１を動作可能、リ−ド・オンリ・メモリＲＯＭ２を動作不能とし、また、該制御ビツトＣＢが１″の場合は、上記とは逆に、リ−ド・オンリ・メモリＲＯＭ１を動作不能、リ−ド・オンリ・メモリＲ０Ｍ２を動作可能とすることが記載されている。
　
　また、上記コ．の事項を参照すると、刊行物１には、
　診断プログラムは、オペレーション・プログラムと比較してアクセス頻度が少ないことが記載されている。
　
　以上を勘案すると、刊行物１には、
　実際の制御動作を行うアクセス頻度の大きいオペレーションプログラムと、自己診断を行うためのアクセス頻度の小さい診断プログラムとを格納するメモリＭ１及びＭ２と、前記オペレーションプログラムと前記診断プログラムに従って制御するマイクロ・プロセツサ・ユニツトＭＰＵとを備え、前記マイクロ・プロセツサ・ユニツトＭＰＵは、メモリＭ１あるいはＭ２を指定する情報をレジスタＲに格納し、メモリＭ１あるいはＭ２を指定する情報と、メモリＭ１、メモリＭ２内の番地を選択するアドレスａ〜ａ′とを前記メモリＭ１、メモリＭ２に送出してメモリＭ１に格納されたオペレーションプログラムとメモリＭ２に格納された診断プログラムの読み出しを行うプログラム収容方式において、
　オペレーションプログラムと診断プログラムとは、互いに異なるＲＯＭ１あるいはＲＯＭ２に格納され、
　マイクロ・プロセツサ・ユニツトＭＰＵは、実際の制御動作を行う時には、前記オペレーションプログラムを格納する前記メモリＭ１を指定する制御ビット“０”を前記オペレーションプログラムの実行中に前記レジスタＲの特定の位置に保持し、
　自己診断を行う時には、前記診断プログラムを格納する前記メモリＭ２を指定する制御ビット“１”を前記診断プログラムの実行中に前記レジスタＲの特定の位置に保持するとともに前記オペレーションプログラムを格納する前記メモリＭ１を指定する前記制御ビット“０”の前記レジスタＲの特定の位置への保持と前記診断プログラムを格納する前記メモリＭ１を指定する前記制御ビット“１”の前記レジスタＲの特定の位置への保持とは、同時に実行されることがないプログラム収容方式（以下、「刊行物１記載の発明」という。）が記載されている。
　
３．対比
　そこで、本願補正発明と刊行物１記載の発明とを対比すると、
ア．刊行物１記載の発明の「実際の制御動作を行うアクセス頻度の大きいオペレーションプログラム」は、本願補正発明の「電気自動車の走行エネルギーを充放電する電池の通常走行時における充放電電流を制御する走行時電池充放電制御用プログラム」に対応し、
　通常の制御動作時におけるアクセス頻度の大きい制御用プログラムである点では両者は一致する。
　
イ．刊行物１記載の発明の「自己診断を行うためのアクセス頻度の小さい診断プログラム」は、本願補正発明の「前記電気自動車の停止時における前記電池の均等充電を制御する均等充電制御用プログラム」に対応し、
　通常の制御動作の停止時におけるアクセス頻度の小さい制御用プログラムである点では両者は一致する。
　
ウ．刊行物１記載の発明の「メモリＭ１及びＭ２」は、本願補正発明の「複数のメモリバンクにより構成されるプログラムメモリ」に対応する。
　
エ．刊行物１記載の発明の「前記オペレーションプログラムと前記診断プログラムに従って制御するマイクロ・プロセツサ・ユニツトＭＰＵ」は、本願補正発明の「前記両プログラムに従って演算を行って前記電池を制御する電池管理ＣＰＵ」に対応し、
　両プログラムに従って制御する管理ＣＰＵである点では両者は一致する。
　
オ．刊行物１記載の発明の「マイクロ・プロセツサ・ユニツトＭＰＵは、メモリＭ１あるいはＭ２を指定する情報をレジスタＲに格納する」点は、本願補正発明の「電池管理ＣＰＵは、前記メモリバンクを選択するメモリバンク選択アドレス信号を自己のアドレス信号出力ポートを通じて前記プログラムメモリへ出力して前記両プログラムの読み出しを行う」点に対応し、　
　管理ＣＰＵは、前記メモリバンクを選択するメモリバンク選択アドレス信号を自己のアドレス信号出力ポートを通じて前記プログラムメモリへ出力して前記両プログラムの読み出しを行う点では両者は一致する。
　
カ．刊行物１記載の発明の「メモリＭ１あるいはＭ２を指定する情報と、メモリＭ１、メモリＭ２内の番地を選択するアドレスａ〜ａ′とを前記メモリＭ１、メモリＭ２に送出してメモリＭ１に格納されたオペレーションプログラムとメモリＭ２に格納された診断プログラムの読み出しを行うプログラム収容方式」は、本願補正発明の「電気自動車用の電池管理装置」に対応する。
　
キ．刊行物１記載の発明の「オペレーションプログラムと診断プログラムとは、互いに異なるＲＯＭ１あるいはＲＯＭ２に格納される」点は、本願補正発明の「前記走行時電池充放電制御用プログラムおよび前記均等充電制御用プログラムは、互いに異なる前記メモリバンクに格納される」点に対応し、
　通常の制御動作時におけるアクセス頻度の大きい制御用プログラムおよび通常の制御動作の停止時におけるアクセス頻度の小さい制御用プログラムは互いに異なる前記メモリバンクに格納される点では両者は一致する。
　
ク．刊行物１記載の発明の「マイクロ・プロセツサ・ユニツトＭＰＵは、実際の制御動作を行う時には、前記オペレーションプログラムを格納する前記メモリＭ１を指定する制御ビット“０”を前記オペレーションプログラムの実行中に前記レジスタＲの特定の位置に保持する」点は、本願補正発明の「前記電池管理ＣＰＵは、車両走行時には、前記走行時電池充放電制御用プログラムを格納する前記メモリバンクを選択する前記メモリバンク選択アドレス信号を前記走行時電池充放電制御用プログラムの実行中に前記アドレス信号出力ポートに保持する」点に対応し、
　管理ＣＰＵは、通常の制御動作時には、前記アクセス頻度の大きい制御用プログラムを格納する前記メモリバンクを選択する前記メモリバンク選択アドレス信号を前記アクセス頻度の大きい制御用プログラムの実行中に前記アドレス信号出力ポートに保持する点では両者は一致する。
　
ケ．刊行物１記載の発明の「自己診断を行う時には、前記診断プログラムを格納する前記メモリＭ２を指定する制御ビット“１”を前記診断プログラムの実行中に前記レジスタＲの特定の位置に保持する」点は、本願補正発明の「車両停止時には、前記均等充電制御用プログラムを格納する前記メモリバンクを選択する前記メモリバンク選択アドレス信号を前記均等充電制御用プログラムの実行中に前記アドレス信号出力ポートに保持する」点に対応し、
　通常の制御動作の停止時には、前記アクセス頻度の小さい制御用プログラムを格納する前記メモリバンクを選択する前記メモリバンク選択アドレス信号を前記アクセス頻度の小さい制御用プログラムの実行中に前記アドレス信号出力ポートに保持する点では両者は一致する。
　
コ．刊行物１記載の発明の「前記オペレーションプログラムを格納する前記メモリＭ１を指定する前記制御ビット“０”の前記レジスタＲの特定の位置への保持と前記診断プログラムを格納する前記メモリＭ１を指定する前記制御ビット“１”の前記レジスタＲの特定の位置への保持とは、同時に実行されることがない」点は、本願補正発明の「前記走行時電池充放電制御用プログラムを格納する前記メモリバンクを選択する前記メモリバンク選択アドレス信号の前記アドレス信号出力ポートへの保持と前記均等充電制御用プログラムを格納する前記メモリバンクを選択する前記メモリバンク選択アドレス信号の前記アドレス信号出力ポートへの保持とは、同時に実行されることがない」点に対応し、
　前記通常の制御動作時の制御用プログラムを格納する前記メモリバンクを選択する前記メモリバンク選択アドレス信号の前記アドレス信号出力ポートへの保持と前記通常の制御動作停止時の制御用プログラムを格納する前記メモリバンクを選択する前記メモリバンク選択アドレス信号の前記アドレス信号出力ポートへの保持とは、同時に実行されることがない点では両者は一致する。
　
サ．本願補正発明の「プログラム収容方式」は、複数の異なるプログラムを異なるメモリバンクに格納して選択して実行するものであって、本願補正発明の「電気自動車用の電池管理装置」に対応し、
　プログラム管理装置である点では、両者は一致する。
　
　したがって、両者は、以下の点で一致し、以下の各点で相違する。
　
＜一致点＞
　通常の制御動作時におけるアクセス頻度の大きい制御用プログラムと、　通常の制御動作の停止時におけるアクセス頻度の大きい制御用プログラムと、を格納する複数のメモリバンクにより構成されるプログラムメモリと、前記両プログラムに従って制御する管理ＣＰＵとを備え、前記管理ＣＰＵは、前記メモリバンクを選択するメモリバンク選択アドレス信号と、前記各メモリバンク内の番地を選択するバンク内番地選択アドレス信号とを自己のアドレス信号出力ポートを通じて前記プログラムメモリへ出力して前記両プログラムの読み出しを行う管理装置において、
　前記通常動作時制御用プログラムおよび前記通常動作停止時制御用プログラムは、互いに異なる前記メモリバンクに格納され、
　前記管理ＣＰＵは、通常の制御動作時には、前記通常動作時制御用プログラムを格納する前記メモリバンクを選択する前記メモリバンク選択アドレス信号を前記通常動作時制御用プログラムの実行中に前記アドレス信号出力ポートに保持し、
　通常の制御動作停止時には、通常の制御動作停止時制御用プログラムを格納する前記メモリバンクを選択する前記メモリバンク選択アドレス信号を前記通常の制御動作停止時制御用プログラムの実行中に前記アドレス信号出力ポートに保持するとともに前記通常の制御動作時制御用プログラムを格納する前記メモリバンクを選択する前記メモリバンク選択アドレス信号の前記アドレス信号出力ポートへの保持と前記通常の制御動作停止時制御用プログラムを格納する前記メモリバンクを選択する前記メモリバンク選択アドレス信号の前記アドレス信号出力ポートへの保持とは、同時に実行されることがないプログラム管理装置。
　　
＜相違点＞
（ア）通常の制御動作時における制御用プログラムが、
　本願補正発明では、電気自動車の走行エネルギーを充放電する電池の通常走行時における充放電電流を制御する走行時電池充放電用のものであるのに対し、
　刊行物１記載の発明では、オペレーションプログラムである点。
　
（イ）通常の制御動作の停止時における制御用プログラムが、
　本願補正発明では、電気自動車の停止時における前記電池の均等充電を制御する均等充電制御用プログラムであるのに対し、
　刊行物１記載の発明では、診断プログラムである点。
　
（ウ）管理ＣＰＵが、
　本願補正発明では、演算を行って前記電池を制御する電池管理ＣＰＵであるのに対し、
　刊行物１記載の発明では、マイクロプロセツサユニツトＭＰＵである点。
　
（エ）プログラム管理装置が、
　本願補正発明では、電気自動車用の電池管理装置であるのに対し、
　刊行物１記載の発明では、プログラム収容方式である点。
　
（オ）アドレス信号が、
　本願補正発明では、メモリバンク選択アドレス信号とメモリバンク内番地選択アドレス信号とにより構成されるのに対し、
　刊行物１記載の発明では、メモリを指定する制御ビットとメモリ内の番地を選択するアドレスとは別のものである点。
　
４．判断
　上記の相違点（ア）〜（エ）については、
　本願の出願（平成９年１１月）の時点では、電気自動車に搭載される主電池の充電状態の制御を行う際に、車両走行時の充放電制御と車両停止時の充電制御を、ＣＰＵによる演算制御により行うことは周知技術（例えば、特開平６−２９６３０２号公報の【００２８】欄：車両走行時のＳＯＣ管理のフロー、【００２９】欄：車両停止時のフロー、【００６５】欄：均等充電を参照）であると認められるとともに、
　また、電気自動車用の電池の制御を充電プログラムや充放電プログラムにより行うことも周知技術（例えば、特開平３−１８２３１号公報，特開平９−２１５１１１号公報参照）であると認められ、
　本願の明細書の記載においても、【０００２】欄，【０００５】欄を参照すると、電気自動車の充放電電流の複雑な制御にはマイコンを用いたプログラム制御を行い、車両停止時に自己放電量をモニタする必要があるため電池管理マイコンを作動させることが従来技術として記載されており、
　
　上記周知技術を参照すれば、電気自動車用の電池の通常走行時における充放電制御と停止時の均等充電制御を実行する場合に、
　電気自動車の走行エネルギーを充放電する電池の通常走行時における充放電電流を制御する走行時電池充放電用プログラムと、電気自動車の停止時における前記電池の均等充電を制御する均等充電制御用プログラムとを用いて実行すること自体は、当業者が容易に想到することができたことである。
　
　そして、刊行物１には、電気自動車用の電池の充放電制御に関する記載はないものの、
　刊行物１には、複数のプロクラムをメモリに格納する場合に、異なるプログラムを異なるメモリバンクに格納して、メモリバンクを選択して異なるプログラムを実行するという本願補正発明の基本的な構成が開示され、しかも、一方のプログラムが、通常の動作制御時のアクセス頻度の大きいプログラムであり、他方のプログラムは、通常の動作制御時でないアクセス頻度の小さい診断プログラムであることも開示されている。
　
　一方、本願補正発明は、電気自動車用の電池管理装置の発明として記載されているものの、動作時と動作停止時とで異なるプログラムを切り替えて制御する点に特徴があるものであって、電気自動車用の電池の充放電制御に固有の具体的な技術的構成を備えたものであるとは言えないから、
　
　刊行物１に記載された動作時と動作停止時とで異なるプログラムによる制御をそれぞれのプログラムを異なるメモリに格納するという発明において、　
　異なるプログラムとして、電気自動車用の電池管理装置の分野において周知技術である電気自動車用の電池の通常走行時における充放電制御と停止時の均等充電制御のものに単に変更することにより、
　通常の制御動作時における制御プログラムと通常の制御動作の停止時における制御プログラムとを走行時電池充放電制御用プログラムと停止時均等充電制御用プログラムとし、
　また、管理ＣＰＵを演算を行って電池を制御する電池管理ＣＰＵとし、プログラム管理装置を電気自動車用の電池管理装置とすることは、当業者が容易に想到することができたことである。
　
　また、上記の相違点（オ）については、
　本願の明細書の記載、例えば【００２０】欄の記載を参照すると、ＣＰＵ７２２２がアドレスバスでなくデータバスを通じて、アドレス信号出力用ポートにメモリバンク選択アドレスを送って、アドレス信号出力用ポートがそれを保持する点は、刊行物１記載の発明において、上記ク．の記載を参照すると、マイクロ・プロセッサ・ユニットＭＰＵがデータ・バスＤＢにＲＯＭを指定する情報を送出して、この情報をレジスタＲに格納する点と相違はなく、
　上記の相違点（オ）は、複数のメモリバンクの選択とメモリバンク内のアドレスの指定を行う場合に、アドレス信号をメモリバンク選択アドレス信号とメモリバンク内番地選択アドレス信号とにより構成する点にあると認められるが、
　
　複数のメモリバンクの選択とメモリバンク内の番地を指定する際に、アドレスの上位ビットをメモリ選択信号とし、下位ビットをメモリバンク内のアドレス指定信号とすることは周知技術（例えば、特開平４−６２６４８号公報：第３頁左上欄第７行〜１０行：アドレス信号の上位数ビットがメモリセレクト信号：左下欄第９行〜１２行：アドレス信号の下位側がアドレス信号）であると認められるから、
　
　複数のメモリにアクセスするアドレス信号をメモリバンク選択アドレス信号とメモリバンク内番地選択アドレス信号とにより構成することは、複数のメモリを使用する場合に当業者が適宜、変更することができたことである。
　
　したがって、本願補正発明は、刊行物１記載の発明及び上記周知技術に基いて当業者が容易に発明をすることができたものであるから、特許法第２９条第２項の規定により特許出願の際独立して特許を受けることができないものである。
　
５．むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
ＩＩＩ．本願発明について
１．本願発明
　平成１５年８月６日付の手続補正は上記のとおり却下されたので、本願の請求項１に係る発明（以下、「本願発明」という。）は、平成１４年２月２５日付手続補正により補正された特許請求の範囲の請求項１に記載された、以下のとおりの事項により特定されるものである。
「電気自動車の走行エネルギーを充放電する電池の通常走行時における充放電電流を制御する走行時電池充放電制御用プログラムと、前記電気自動車の停止時における前記電池の均等充電を制御する均等充電制御用プログラムとを格納する複数のメモリバンクにより構成されるプログラムメモリと、前記両プログラムに従って演算を行って前記電池を制御する電池管理ＣＰＵとを備え、前記電池管理ＣＰＵは、前記メモリバンクを選択するメモリバンク選択アドレス信号と、前記各メモリバンク内の番地を選択するバンク内番地選択アドレス信号とにより構成されるアドレス信号を自己のアドレス信号出力ポートを通じて前記プログラムメモリへ出力して前記両プログラムの読み出しを行う電気自動車用の電池管理装置において、
　前記走行時電池充放電制御用プログラムおよび前記均等充電制御用プログラムは、互いに異なる前記メモリバンクに格納され、
　前記電池管理ＣＰＵは、前記走行時電池充放電制御用プログラムを格納する前記メモリバンクを選択する前記メモリバンク選択アドレス信号を前記走行時電池充放電制御用プログラムの実行中に前記アドレス信号出力ポートに保持し、前記均等充電制御用プログラムを格納する前記メモリバンクを選択する前記メモリバンク選択アドレス信号を前記均等充電制御用プログラムの実行中に前記アドレス信号出力ポートに保持することを特徴とする電気自動車用の電池管理装置。」
　
２．刊行物記載の発明
　原査定の拒絶の理由に引用された刊行物に記載された発明は、前記ＩＩ．２．に記載したとおりである。
　
３．対比・判断
　本願発明は、前記ＩＩ．で検討した本願補正発明から「メモリバンク選択アドレス信号の保持」の限定事項である「車両走行時には、…車両停止時には、…」との構成を省き、同じく「メモリバンク選択アドレス信号の保持」の限定事項である「前記走行時電池充放電制御用プログラムを格納する前記メモリバンクを選択する前記メモリバンク選択アドレス信号の前記アドレス信号出力ポートへの保持と前記均等充電制御用プログラムを格納する前記メモリバンクを選択する前記メモリバンク選択アドレス信号の前記アドレス信号出力ポートへの保持とは、同時に実行されることがない」との構成を省いたものである。
　
　そうすると、本願発明の構成要件を全て含み、さらに他の構成要件を付加したものに相当する本願補正発明が、前記「ＩＩ．４」に記載したとおり、刊行物１記載の発明及び刊行物２記載の発明、並びに周知技術に基いて、当業者が容易に発明をすることができたものであるから、
　本願発明も同様の理由により、刊行物１記載の発明及び刊行物２記載の発明、並びに周知技術に基いて、当業者が容易に発明をすることができたものである。
　
４．むすび
　以上のとおり、本願発明は、刊行物１記載の発明及び刊行物２記載の発明、並びに周知技術に基いて、当業者が容易に発明をすることができたものであるから、特許法第２９条第２項の規定により特許を受けることができない。　　　
　よって、結論のとおり審決する。